【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
集積マイクロアレイデバイスであって、該デバイスは、複数の個々の微細区画および複数のマイクロアレイチップを含む基板を含み、該微細区画の数は、該マイクロアレイチップの数以上である、集積マイクロアレイデバイス。
【請求項２】
前記基板は、シリコン、プラスチック、ガラス、セラミック、ラバー、ポリマーまたはそれらの混合を含む、請求項１に記載のデバイス。
【請求項３】
前記シリコンは、二酸化シリコンまたは窒化シリコンである、請求項２に記載のデバイス。
【請求項４】
前記基板は、疎水性または親水性である表面を含む、請求項１に記載のデバイス。
【請求項５】
前記基板は、多孔性または非多孔性である表面を含む、請求項１に記載のデバイス
【請求項６】
前記微細区画および／またはマイクロアレイチップは、前記基板上に製造される、請求項１に記載のデバイス。
【請求項７】
前記デバイスは前記微細区画の数（１２）ｎを含み、ｎは少なくとも１である整数である、請求項１に記載のデバイス。
【請求項８】
前記微細区画は前記基板に均一または不均一に分散されている、請求項１に記載のデバイス。
【請求項９】
前記微細区画の数および該微細区画の間の距離は、標準マイクロタイタープレートに対応する、請求項１に記載のデバイス。
【請求項１０】
前記微細区画は、ウェルフォーマットまたは断熱された平面フォーマットの状態である、請求項１に記載のデバイス。
【請求項１１】
前記デバイスは前記ウェルの数（１２）ｎを含み、ｎは少なくとも１である整数である、請求項１０に記載のデバイス。
【請求項１２】
前記デバイスは９６，３８４、または１，５３６個のウェルを含む、請求項１０に記載のデバイス。
【請求項１３】
前記ウェルは、円、楕円、正方形、矩形、三角形、および他の不規則な形状からなる群から選択されるジオメトリを有する、請求項１０に記載のデバイス。
【請求項１４】
前記ウェルは同一または異なる形状を有する、請求項１０に記載のデバイス。
【請求項１５】
前記微細区画のうちの少なくとも１つは、前記デバイス外部の流体源または流体の経路と流体接触を有する、請求項１に記載のデバイス。
【請求項１６】
前記全ての微細区画は前記デバイス外部の流体源または流体経路と流体接触を有する、請求項１に記載のデバイス。
【請求項１７】
前記微細区画の少なくとも２つはお互いに流体接触を有する、請求項１に記載のデバイス。
【請求項１８】
前記全ての微細区画はお互いに流体接触を有する、請求項１に記載のデバイス。
【請求項１９】
前記微細区画の少なくとも１つは断熱されている、請求項１に記載のデバイス。
【請求項２０】
前記全ての微細区画は断熱されている、請求項１に記載のデバイス。
【請求項２１】
前記少なくとも１つのウェルは断熱されている、請求項１０に記載のデバイス。
【請求項２２】
前記全てのウェルは断熱されている、請求項１０に記載のデバイス。
【請求項２３】
前記微細区画（単数または複数）は不活性ガスによって断熱されている、請求項１９に記載のデバイス。
【請求項２４】
前記不活性ガスは空気である、請求項２３に記載のデバイス。
【請求項２５】
前記全てのウェルは、薄いガーダによって互いに接続され、前記隣接したウェルの壁の間に含まれる前記空気によって断熱される、請求項２２に記載のデバイス。
【請求項２６】
前記それぞれの微細区画はマイクロアレイチップを含む、請求項１に記載のデバイス。
【請求項２７】
前記マイクロアレイチップは同一または異なる密度を有する、請求項１に記載のデバイス。
【請求項２８】
前記マイクロアレイチップは（１００）ｎ点／ｃｍ２の密度を有し、ｎは少なくとも１である整数である、請求項１に記載のデバイス。
【請求項２９】
前記マイクロアレイチップの少なくとも１つは４００点／ｃｍ２より少ない、または等しい密度を有する、請求項１に記載のデバイス。
【請求項３０】
前記全てのマイクロアレイチップは４００点／ｃｍ２より少ない、または等しい密度を有する、請求項１に記載のデバイス。
【請求項３１】
前記マイクロアレイチップの少なくとも１つは該チップに取り付けられた複数の分子部を有する、請求項１に記載のデバイス。
【請求項３２】
前記マイクロアレイチップ（単数または複数）は、該チップに取り付けられた表が上の方向または表が下の方向の複数の分子部を有する、請求項３１に記載のデバイス。
【請求項３３】
前記各分子部は、細胞、細胞小器官、ウイルス、分子およびその凝集体または複合体からなる群から選択される、請求項３１に記載のデバイス。
【請求項３４】
前記細胞は、動物細胞、植物細胞、菌細胞、バクテリア細胞、組換え細胞、および培養細胞からなる群から選択される、請求項３３に記載のデバイス。
【請求項３５】
前記細胞小器官は、核、ミトコンドリア、葉緑体、リボゾーム、ＥＲ、ゴルジ体、リソソーム、プロテアソーム、分泌小胞、小胞およびミクロソームからなる群から選択される、請求項３３に記載のデバイス。
【請求項３６】
前記分子は、無機分子、有機分子およびそれらの組み合わせからなる群から選択される、請求項３３に記載のデバイス。
【請求項３７】
前記無機分子は、ナトリウムイオン、カリウムイオン、マグネシウムイオン、カルシウムイオン、塩素イオン、鉄イオン、銅イオン、亜鉛イオン、マンガンイオン、コバルトイオン、ヨウ素イオン、モリブデンイオン、バナジウムイオン、ニッケルイオン、クロムイオン、フッ素イオン、シリコンイオン、スズイオン、ボロンイオンおよびヒ素イオンからなる群から選択されるイオンである、請求項３６に記載のデバイス。
【請求項３８】
前記有機分子は、アミノ酸、ペプチド、タンパク質、ヌクレオシド、ヌクレオチド、オリゴヌクレオチド、核酸、ビタミン、単糖類、オリゴ糖、炭水化物、脂質、およびそれらの混合物からなる群から選択される、請求項３６に記載のデバイス。
【請求項３９】
前記マイクロアレイチップの少なくとも２つは複数の分子部を該チップに取り付ける、請求項１に記載のデバイス。
【請求項４０】
前記各マイクロアレイチップは、同じ種類または異なる種類の分子部を該チップに取り付ける、請求項３９に記載のデバイス。
【請求項４１】
前記各マイクロアレイチップは、複数の分子部を該チップに取り付ける、請求項１に記載のデバイス。
【請求項４２】
前記微細区画の少なくとも１つは温度コントローラを含む、請求項１に記載のデバイス。
【請求項４３】
前記各微細区画は温度コントローラを含む、請求項４２に記載のデバイス。
【請求項４４】
前記各温度コントローラは個々にコントロール可能である、請求項４２に記載のデバイス。
【請求項４５】
前記温度コントローラは、抵抗性ヒーター、双方向性半導体温度コントローラ、セラミックヒーターおよび赤外ヒーターからなる群から選択される、請求項４２に記載のデバイス。
【請求項４６】
前記基板は単一のユニットである、請求項１に記載のデバイス。
【請求項４７】
前記基板は組み立てられたユニットであり、少なくとも２つのパーツに分解され得る、請求項１に記載のデバイス。
【請求項４８】
テスト分子部と複数のターゲット分子部との間の相互作用を検出する方法であって、該方法は、
ａ）複数の個々の微細区画および複数のマイクロアレイチップを含む基板を含む、集積マイクロアレイデバイスを提供する工程であって、該微細区画の数は、該マイクロアレイチップの数以上であり、該複数のターゲット分子部は該マイクロアレイチップに取り付けられる、工程と、
ｂ）該工程ａ）で提供される該複数のターゲット分子部とテスト分子部とを接触する工程と、
ｃ）該テスト分子部と該複数のターゲット分子部との間の相互作用を検出する工程と
を包含する、方法。
【請求項４９】
前記集積マイクロアレイデバイスは、複数の個々の微細区画を含む基板を含み、該各微細区画は、マイクロアレイチップおよび温度コントローラを含む、請求項４８に記載のデバイス。
【請求項５０】
前記検出されている相互作用は、細胞、細胞小器官、ウイルス、分子およびその凝集体または複合体からなる群から選択される、請求項４８に記載のデバイス。
【請求項５１】
前記複数のターゲット分子部は、複数の遺伝子、遺伝子フラグメント、またはそれらのエンコード生成物である、請求項４８に記載のデバイス。
【請求項５２】
前記複数の遺伝子、遺伝子フラグメント、またはそれらのエンコード生成物は、生物学的経路に包括され、同一または類似の生物学的機能を有するタンパク質のグループに属して、細胞周期の段階に発現され、細胞種に発現され、組織種に発現され、器官種に発現され、発展開発段階に発現され、タンパク質の発現および／またはタンパク質の活性は、病気あるいは障害の種類または段階に変化され、タンパク質の発現および／またはタンパク質の活性は、薬または他の処理によって変化される、請求項５１に記載のデバイス。
【請求項５３】
複数のターゲット分子部と複数のターゲット分子部との間の相互作用が検出される、請求項４８に記載のデバイス。
【請求項５４】
複数のターゲット分子部と複数のターゲット分子部との間の相互作用が同時に、または連続して検出される、請求項４８に記載のデバイス。